(57)【特許請求の範囲】
【請求項１】
内部に商品を陳列する貯蔵室と、この貯蔵室内に商品を載置する棚板と、この棚板の前方に着脱自在に設けられたプライスレールと、棚板とプライスレールの間に挿入されたランカンを有するショーケースにおいて、前記プライスレールに棚板とランカンとの間に生じた露をプライスレール外に導く水切孔を形成したことを特徴とするショーケース。
【請求項２】
前記水切孔の下方に露受部を形成したことを特徴とする請求項１のショーケース。
【発明の詳細な説明】
【０００１】
【発明の属する技術分野】
本発明は、貯蔵室内に設けられた商品を載置する棚板とランカンとの間に生じた露の処理を行うショーケースに関する。
【０００２】
【従来の技術】
従来この種のショーケースとして、登録実用新案第３００９１４７号公報（Ａ４７Ｆ５／００）には、内部に商品を陳列する貯蔵室と、この貯蔵室内に商品を載置する棚板と、この棚板の前方に設けられたプライスレールと、棚板とプライスレールの間に形成されたランカンを有する構成について開示されている。
【０００３】
また、この支持板上の商品を顧客によりアピールするために、係合孔の位置を変更して支持部材の角度を変更することができる構成もある。
【０００４】
【発明が解決しようとする課題】
上述した様な従来技術では、ショーケースの温度帯が例えば冷凍等の低温に設定される場合において、プライスレールに棚板とランカンとの間に生じた露に対する処理を特に施していないために、露がプライスレール内にて氷結し、棚板よりプライスレールの着脱が不可能になってしまったり、成長した氷によりランカンが上方に押されてしまう虞がある。
【０００５】
本発明は上述した問題点に鑑みてなされたもので、貯蔵室内に設けられた商品を載置する棚板とランカンとの間に生じた露の処理を行うことができるショーケースを提供する。
【０００６】
【課題を解決するための手段】
上記目的を達成するための手段として、請求項１では、内部に商品を陳列する貯蔵室と、この貯蔵室内に商品を載置する棚板と、この棚板の前方に着脱自在に設けられたプライスレールと、棚板とプライスレールの間に挿入されたランカンを有するものであって、前記プライスレールに棚板とランカンとの間に生じた露をプライスレール外に導く水切孔を形成したショーケースである。
【０００７】
この様に、プライスレールに棚板とランカンとの間に生じた露をプライスレール外に導く水切孔を形成したことにより、棚板とランカンとの間に生じた露をプライスレール外に導くことができるので、ショーケースの温度域が冷凍等の低温に設定される場合においても、プライスレール内に氷結することが無くなり、プライスレールの着脱やランカンを正規の位置に保持することができる。
【０００８】
請求項２では、請求項１に加えて、前記水切孔の下方に露受部を形成したショーケースである。
【０００９】
この様に、水切孔の下方に露受部を形成したことにより、水切孔より落下した露が下方の棚に載置された商品に落下することを防止できる。
【００１０】
【発明の実施の形態】
以下、本発明の実施の形態を図面に基づいて説明する。
【００１１】
図１はショーケース１の斜視図、図２はショーケース１の縦断側面図、図３は棚装置１７の前部の断面図、図４は図３の要部断面図である。
【００１２】
図１及び図２において、ショーケース１は前面に開口２を有する断面略コ字状のオープンタイプと称される低温ショーケースであり、前面に開口した箱状の断熱壁３の内部に第１及び第２の仕切板４，５を設け、第１の仕切板４の内側を貯蔵室６とし、第１の仕切板４と第２の仕切板５との間を内側冷気通路７とすると共に、第２の仕切板と断熱壁３との間を外側冷気通路８とし、内側冷気通路７には、図示しない冷凍装置により冷却された冷却器９が設けられている。また、下部において、内側冷気通路７及び外側冷気通路８は仕切られておらず、貯蔵室６の底板１０の下部には、下部冷気通路１１を形成し、この下部冷気通路１１内には送風機１２が設けられている。また、内側冷気通路７及び外側冷気通路８の上下前端は、内側冷気吐出口，外側冷気吐出口１３，１４及び冷気吸込口１５によって貯蔵室６と連通している。冷却器９によって冷却された冷気は送風機１２により内側冷気通路７内を上昇せられ、内側冷気吐出口１３から貯蔵室６内に吐出されると共に、貯蔵室６内を循環した冷気は冷気吸込口１５から下部冷気通路１１に吸い込まれる。これによって貯蔵室６の前面には二重のエアーカーテンを形成すると共に、貯蔵室６内は所定の冷蔵、若しくは冷凍温度に冷却される。また、ショーケース１の両端には側板１６が設けられている。ここで、貯蔵室８内には棚装置１７が複数段架設されている。
【００１３】
棚装置１７は、貯蔵室６背面に形成された図示しない棚支柱に係合されるブラケット１８と、このブラケット１８に両側面を保持される棚板１９と、この棚板１９の前方に回動することにより着脱自在に設けられたプライスレール２０と、棚板１９とプライスレール２０の間に隙間に挿入されたランカン２１とを有している。
【００１４】
棚板１９は、商品を載置する載置部２２と、載置部２２の前端から下方に折曲された前面部２３と、前面部２３の下端から後方に折曲されたフランジ２４より構成されている。
【００１５】
プライスレール２０は、載置部２２上に載置された商品の品名・価格等を表示する表示具の上下端を保持する上下爪部２５，２６と、プライスレール２０を棚板１９の前方に保持させるために、フランジ２４を保持するフランジ保持部２７と、ランカン２１を保持するランカン保持部２８と、棚板１９の前面部２３とランカン２１の間の露をプライスレール２０外に導く水切孔２９と、水切孔２９の下方に水切孔２９より排出された露を受ける露受部３０が形成されている。
【００１６】
以上詳述した如く、プライスレール２０に棚板１９とランカン２１との間に生じた露をプライスレール２０外に導く水切孔２９を形成したことにより、棚板１９とランカン２１との間に生じた露をプライスレール２０外に導くことができるので、ショーケースの温度域が冷凍等の低温に設定される場合においても、プライスレール２０内に氷結することが無くなり、フランジ２４がフランジ保持部２７と氷結することが防止できると共に、プライスレール２０の着脱やランカン２１とランカン保持部２８との間に氷ができてランカン２１を上方に押し上げることが無く、ランカン２１を正規の位置に保持することができる。
【００１７】
また、水切孔２９の下方に水切孔２９より排出された露を受ける露受部３０を形成したことにより、水切孔２９より落下した露が下方の棚板１９に載置された商品に落下することを防止できる。
【００１８】
尚、状況によってはランカン２１を使用せずに、棚板１９の前方にプライスレール２０のみを設けることも可能である。その場合も、棚板１９及びプライスレール２０は同様な構成にて、棚板１９の前面部２３とプライスレール２０の間の露の処理を行うことになる。
【００１９】
【発明の効果】
以上詳述した如く請求項１において、プライスレールに棚板とランカンとの間に生じた露をプライスレール外に導く水切孔を形成したことにより、棚板とランカンとの間に生じた露をプライスレール外に導くことができるので、ショーケースの温度域が冷凍等の低温に設定される場合においても、プライスレール内に氷結することが無くなり、プライスレールの着脱やランカンを正規の位置に保持することができる。
【００２０】
請求項２において、水切孔の下方に露受部を形成したことにより、水切孔より落下した露が下方の棚板に載置された商品に落下することを防止できる。
【図面の簡単な説明】
【図１】ショーケースの斜視図である。
【図２】ショーケースの縦断側面図である。
【図３】棚装置の前部の断面図である。
【図４】図３の要部断面図である。
【符号の説明】
１      ショーケース
６      貯蔵室
１９    棚板
２０    プライスレール
２１    ランカン
２９    水切孔
３０    露受け部
【図１】
0004070384.tif 000002
【図２】
0004070384.tif 000003
【図３】
0004070384.tif 000004
【図４】
0004070384.tif 000005